(57)【要約】  【課題】  上部に冷蔵室、下部に冷凍室、冷蔵室の最下部に野菜収納ケースを備える冷凍冷蔵庫においては、野菜収納ケースの冷凍室に対向する部分は冷凍室から隔壁を伝導する冷熱により局部的に温度が低下し、野菜収納ケースの結露、内容物の凍結の原因となっていた。この局部的な温度の低下を防止することができる冷凍冷蔵庫を提供する。  【解決手段】  隔壁１１の冷蔵室側の面に、機械室４０に対向する部分から冷凍室３０に対向する部分に跨って、熱伝導率の良い金属のテープまたは板からなる熱伝導部材１６を配設する。冷蔵室２０には、機械室４０からは温熱、冷凍室３０からは冷熱が隔壁１１を伝導して伝わる。熱伝導部材１６により、温熱が機械室４０に対向する部分から冷凍室３０に対向する部分に伝導し、冷熱で冷やされる部分が温められる。【選択図】      図１
2006046842.tif 000002
【特許請求の範囲】
【請求項１】
本体の上部に冷蔵室、該冷蔵室の下側に隔壁を隔てて冷凍室、該冷凍室および／又は前記冷蔵室の後方部に機械室を備え、前記冷蔵室の最下部に野菜収納ケースが設けられる冷凍冷蔵庫において、
前記機械室の熱を前記冷凍室と前記野菜収納ケースとの間に位置する隔壁部分に導く熱伝導部材を前記隔壁に配設したことを特徴とする冷凍冷蔵庫。
【請求項２】
前記隔壁の冷蔵室側の面に、前記機械室に面する部分から前記冷凍室に面する部分に跨って、前記熱伝導部材を配設したことを特徴とする請求項１に記載の冷凍冷蔵庫。
【発明の詳細な説明】
【技術分野】
【０００１】
本発明は、上部に冷蔵室、下部に冷凍室、冷蔵室および／又は冷凍室の後方部に機械室を備え、冷蔵室の最下部に野菜収納ケースを備える冷凍冷蔵庫に関する。
【背景技術】
【０００２】
家庭用の冷凍冷蔵庫において、上部に冷蔵室、下部に冷凍室、冷蔵室の最下部に野菜収納ケースを備えるものが多く製造されている。野菜収納ケースは、野菜の鮮度を保つために、冷蔵室内部よりも湿度が高く保たれている。
【０００３】
この冷凍冷蔵庫において、冷蔵室と冷凍室とは断熱材でできた隔壁で隔てられているものの、冷凍室の冷熱が冷蔵室に伝導して、野菜収納ケースの温度が低下し、ケース内での結露や、収納した野菜の凍結を生ずるといった問題があった。
【０００４】
冷凍室に隣接する野菜収納ケースの温度の低下を防止する方法として、隔壁の野菜収納ケースに面する側に専用ヒータを設置して通電するものが用いられていた。しかし、専用ヒータを設けるとコストアップとなるという問題があったため、特許文献１では冷蔵用蒸発器の除霜ヒータで温めた空気を野菜収納ケース（野菜室）に送る方法が提案されている。
【特許文献１】特開平１１−３１１４７１号公報（第４頁、図４、図８）
【発明の開示】
【発明が解決しようとする課題】
【０００５】
特許文献１で提案されている方法では、冷蔵用蒸発器の除霜ヒータが必要であり、冷蔵用蒸発器や除霜ヒータを設けないものにおいては、やはり隔壁の野菜収納ケースに面する側に専用ヒータを設置して通電する必要がある。
【０００６】
また、機械室内で発生する熱が冷蔵室に伝わって冷蔵室の熱負荷とならないように、機械室に面する隔壁の断熱層を厚くする必要があり、隔壁の断熱層を厚くすると冷凍冷蔵庫の有効内容積が減るという課題があった。
【０００７】
そこで、本発明は、機械室内で発生する熱を利用し、冷蔵用蒸発器の除霜ヒータや専用のヒータを設けることなく野菜収納ケースの温度低下、特に局部的な温度低下を防ぐことができる冷凍冷蔵庫を提供することを目的とする。また、機械室に面する隔壁の断熱層を厚くしない冷凍冷蔵庫の構造を提供することを目的とする。
【課題を解決するための手段】
【０００８】
（１）上記目的を達成するために本発明は、本体の上部に冷蔵室、該冷蔵室の下側に隔壁を隔てて冷凍室、該冷凍室および／又は前記冷蔵室の後方部に機械室を備え、前記冷蔵室の最下部に野菜収納ケースが設けられる冷凍冷蔵庫において、前記機械室の熱を前記冷凍室と前記野菜収納ケースとの間に位置する隔壁部分に導く熱伝導部材を前記隔壁に配設したことを特徴としている。
【０００９】
この構成によると、機械室から冷蔵室に隔壁を伝導した温熱を、隔壁に配設した熱伝導部材によって、隔壁の冷凍室と野菜収納ケースとの間の部分に導く。隔壁のこの部分は、冷凍室から冷蔵室に隔壁を冷熱が伝導するため、冷蔵室内の雰囲気よりも温度が低くなっており、この温度が低くなりすぎた場合に野菜収納ケース内の結露や収納した野菜の凍結を生ずる原因となっていた。これを、安価な熱伝導部材により機械室からの温熱を導くことにより、高価な専用のヒータを設けることなく防ぐことができる。
【００１０】
（２）また本発明は、前記隔壁の冷蔵室側の面に、前記機械室に面する部分から前記冷凍室に面する部分に跨って、前記熱伝導部材を配設したことを特徴としている。
【００１１】
この構成によると、熱伝導部材には隔壁を伝導して機械室からは温熱が、冷凍室からは冷熱が伝わる。隔壁の冷凍室に対向する部分は熱伝導部材に導かれた機械室からの温熱により温められ、機械室に対向する部分は同様に熱伝導部材に導かれた冷凍室からの冷熱により冷やされるため、冷凍室からの冷熱により野菜収納ケースの温度が低くなりすぎるのを防ぐとともに、機械室からの温熱により冷蔵室の温度が上昇するのを防ぐことができ、熱伝導部材を配設しない場合に比べ機械室に面する隔壁の断熱層を薄くできる。
【発明の効果】
【００１２】
本発明によると、熱伝導部材を隔壁に配設するだけの簡単な構成で、安価に野菜収納ケースの温度が低くなりすぎることによる結露や収納した野菜の凍結を防ぐことができる。また、機械室からの温熱により冷蔵室の温度が上昇するのを防ぐことができ、熱伝導部材を配設しない場合に比べ機械室に面する隔壁の断熱層を薄くできる。
【発明を実施するための最良の形態】
【００１３】
以下、本発明の実施形態を図を用いて説明する。図１は冷凍冷蔵庫の側面から見た垂直断面図、図２は冷却サイクルの概略構成図である。
【００１４】
冷凍冷蔵庫１は食品保存用であり、断熱筐体１０が本体を構成する。断熱筐体１０の内部は隔壁１１によって上下２段に仕切られており、上段は冷蔵室２０、下段は冷凍室３０である。冷蔵室２０と冷凍室３０とは、ともに正面（図１において左側）が食品を出し入れするための開口部となっており、この開口部を開閉可能な断熱扉２１、３１が閉ざす。
【００１５】
冷蔵室２０の内部には複数の棚板２２が設けられている。また、冷蔵室２０の最下部には野菜収納ケース２５が引き出し可能に設けられている。野菜収納ケース２５は、収容される野菜の鮮度を保つため、図示しない加湿手段により冷蔵室２０の他の部分よりも湿度が高く設定されている。
【００１６】
冷凍室３０には棚板３２と３個の冷凍容器３３ａ、３３ｂ、３３ｃが上下に重なるように収納されている。冷凍容器３３ａ、３３ｂ、３３ｃはそれぞれ両側縁部によって冷凍室３０の内面に支持されており、前方に引き出すことができる。
【００１７】
断熱筐体１０の背面部には機械室４０が形成される。機械室４０は板金製の部品を組み合わせて構成された構造物であり、背面側が開口している。この機械室４０の中にスターリング冷凍機５０が収納されている。機械室４０は上部が冷凍室３０の上部とほぼ一致する高さに設けられている。
【００１８】
スターリング冷凍機５０を設置した後、機械室４０の背面側開口を蓋４４で閉ざす。蓋４４には、後述する高温側凝縮器を冷却する空気を取り入れるための通風口４５と、後述する空冷ダクトの出口を接続するための開口４７が形成されている。
【００１９】
スターリング冷凍機５０の一部は放熱部５１となり、ここに高温側蒸発器６１が取り付けられる（図２参照）。放熱部５１と高温側蒸発器６１は互いに熱を授受する状態、すなわち熱接続された状態にある。
【００２０】
スターリング冷凍機５０の上には高温側凝縮器６２が設置される。高温側蒸発器６１と高温側凝縮器６２とは二次冷媒配管で接続され、高温側の二次冷媒循環回路６０を構成する。二次冷媒循環回路６０には水（水溶液を含む）あるいは炭化水素系の冷媒を密封する。
【００２１】
スターリング冷凍機５０の他の一部は吸熱部５２となり、ここに低温側凝縮器７１が取り付けられる（図２参照）。吸熱部５２と低温側凝縮器７１は互いに熱を授受する状態、すなわち熱接続された状態にある。
【００２２】
冷凍室３０の奥には低温側蒸発器７２が設置される。低温側凝縮器７１と低温側蒸発器７２とは二次冷媒配管で接続され、低温側の二次冷媒循環回路７０を構成する。二次冷媒循環回路７０には二酸化炭素などの自然冷媒を封入する。
【００２３】
高温側凝縮器６２は、銅や銅合金、アルミニウムなど熱伝導率の高い金属からなるパイプを折り曲げ、これに、同じく熱伝導率の高い金属からなる多数の放熱フィン６３を取り付けた構造である。低温側蒸発器７２も同様に、熱伝導率の高い金属からなるパイプを折り曲げたうえで熱伝導率の高い金属からなる多数の吸熱フィン７３を取り付けた構造である。
【００２４】
断熱筐体１０の内部には、背面側の内壁に沿って垂直方向に延びる冷却ダクト８０、８１が設けられる。冷却ダクト８０は奥側に位置し、冷却ダクト８１はその手前側に位置する。冷却ダクト８０は冷凍室３０の途中までの高さで終わるが、冷却ダクト８１は冷蔵室２０の天井まで続く。
【００２５】
冷却ダクト８０の下端には冷凍室３０から庫内空気を吸い込む吸気口８２が設けられる。吸気口８２の上方には低温側蒸発器７２が設置され、さらにその上方には、冷却ダクト８１に空気を吹き出す送風機８３が設けられる。
【００２６】
また図示しないが、冷蔵室２０から空気を回収する戻りダクトも断熱筐体１０に設けられている。戻りダクトは低温側蒸発器７２に向かい合う位置に吹出口を有し、回収した空気を低温側蒸発器７２に供給する。
【００２７】
スターリング冷凍機５０を運転すると、放熱部５１は高温となり、吸熱部５２は低温となる。放熱部５１の熱は二次冷媒循環回路６０を介して高温側凝縮器６２に伝えられる。吸熱部５２の冷熱は二次冷媒循環回路７０を介して低温側蒸発器７２に伝えられる。
【００２８】
ここで送風機８３を運転すると、冷却ダクト８０の下端の吸気口８２から冷凍室３０の中の空気が吸い込まれ、低温側蒸発器７２を通過する。また前記図示しない戻りダクトを通じ、冷蔵室２０の中の空気が冷却ダクト８０に吸い込まれ、同じく低温側蒸発器７２を通過する。低温側蒸発器７２を通過する空気は冷却されて冷気となる。
【００２９】
冷気は送風機８３により冷却ダクト８１に吹き込まれ、ダクト８１の上方部分（隔壁１１より上の部分）に設けられた吹出口８４を通じて冷蔵室２０に、また冷却ダクト８１の下方部分（隔壁１１より下の部分）に設けられた吹出口８５を通じて冷凍室３０に、それぞれ送り込まれる。このようにして冷蔵室２０及び冷凍室３０にはそれぞれ所定量の冷気が送り込まれ、冷蔵室２０及び冷凍室３０はそれぞれ所定の温度に冷却される。断熱筐体１０の背面上部に設置された制御部１５が上記の運転制御を司る。
【００３０】
スターリング冷凍機５０の運転効率を向上させるためには高温側凝縮器６２からの凝縮熱の放出を効率良く行う必要がある。この目的のため、空冷ダクト９０が高温側凝縮器６２に組み合わせられる。空冷ダクト９０は通風路の断面が矩形となった合成樹脂成型品であり、その入口部は高温側凝縮器６２の上方に配置され、出口部は蓋４４の開口４７にあてがわれる。側面から見ると、空冷ダクト９０は入口部から出口部まで斜め上方に延びる形になっている。
【００３１】
空冷ダクト９０の中には送風機９１を挿入する。送風機９１はプロペラファンを２個、図１の奥行き方向に並べたものであり、送風方向は空冷ダクト９０の軸線に一致する。送風機９１は空冷ダクト９０の出口部から出し入れ可能であり、空冷ダクト９０の内面からダクト軸線と直交する形で突出する取付突部９３に図示しないビスで固定される。
【００３２】
送風機９１を運転すると、蓋４４の通風口４５から外部の空気が吸い込まれる。機械室４０に入った空気は高温側凝縮器６２を通り、高温側凝縮器６２が放出する凝縮熱を奪う。熱を奪った空気は空冷ダクト９０に吸い込まれ、さらに送風機９１に吸い込まれ、そこから機外へと斜め上方に向けて排出される。
【００３３】
機械室４０の蓋４４は単なる平板ではなく、中央が背面側に突き出し、その四周は斜面となった形状を有している。これらの斜面部のうち、斜め上を向いた斜面部に空冷ダクト９０の出口が開口する。このため、空冷ダクト９０の出口と冷蔵庫を設置した部屋の壁面との間に一定以上の隙間が生じ、空気がスムーズに流れる。高温側凝縮器６２を空冷するためには大量の空気が必要であるが、その空気の排出経路がこのように確保されることにより、スターリング冷凍機５０を常に効率良く運転することができる。
【００３４】
本発明による冷凍冷蔵庫１においては、放熱部５１および高温側凝縮器６２の熱は野菜収納ケース２５の過冷却による結露、内容物の凍結の防止に用いられる。
【００３５】
断熱筐体１０および隔壁１１の冷蔵室２０側の表面には合成樹脂で成形された内壁部材１２が密着して設けられている。内壁部材１２と隔壁１１の間には、機械室４０に対向する部分から前記冷凍室３０に対向する部分に跨って銅、銅合金、アルミニウムなどの熱伝導率の高い金属でできたテープまたは薄い板からなる熱伝導部材１６を配置する。
【００３６】
隔壁１１は断熱構造であるが、長時間一定温度にさらされるため、機械室４０に対向する部分からは温熱が、冷凍室３０に対向する部分からは冷熱が、それぞれ冷蔵室２０側に伝導する。
【００３７】
熱伝導部材１６を配置することにより、隔壁１１を伝導した機械室４０からの温熱は熱伝導部材１６の冷凍室３０に対向する側に伝わり、隔壁１１を伝導した冷凍室３０からの冷熱によって冷やされた部分はこの温熱によって温められる。一方、隔壁１１を伝導した冷凍室３０からの冷熱は熱伝導部材１６の機械室４０に対向する側に伝わり、隔壁１１を伝導した機械室４０からの温熱によって温めらた部分はこの冷熱によって冷やされる。
【００３８】
冷凍室３０からの冷熱は野菜収納ケース２５の過冷却による結露や内容物の凍結の原因となり、機械室４０からの温熱は冷蔵室２０の熱負荷（温度上昇）の原因となっていた。従来、野菜収納ケース２５の過冷却は専用のヒータを設け、冷蔵室２０の熱負荷（温度上昇）は隔壁１１の厚さを増やすことにより対処していた。これを、金属テープまたは金属板からなる安価な熱伝導部材１６の配置により機械室４０で発生する廃熱および冷凍室３０から伝導する冷熱を利用して防止することができ、隔壁１１の厚さを熱伝導部材１６を配置しない場合と比べ薄くすることができる。また、熱伝導部材１６は内壁部材１２と隔壁１１の間に設ければ内壁部材１２の冷蔵室側表面に貼り付けるものに比べ見栄えが良い。
【００３９】
ここで、熱伝導部材１６は隔壁１１の表面に限らず、機械室４９からの熱が冷凍室３０内の温度に影響を及ぼさない程度の深さであれば隔壁１１の内部に配設しても構わない。
【００４０】
以上、本発明の実施形態につき説明したが、本発明の範囲はこれに限定されるものではなく、発明の主旨を逸脱しない範囲で種々の変更を加えて実施することができる。
【産業上の利用可能性】
【００４１】
本発明は冷凍冷蔵庫に広く利用可能である。
【図面の簡単な説明】
【００４２】
【図１】冷凍冷蔵庫の側面から見た垂直断面図
【図２】冷却サイクルの概略構成図
【符号の説明】
【００４３】
１    冷凍冷蔵庫
１０    断熱筐体
１１    隔壁
１６    熱伝導部材
２０    冷蔵室
２５    野菜収納ケース
３０    冷凍室
４０    機械室
【図１】
2006046842.tif 000003
【図２】
2006046842.tif 000004